(57)【要約】【課題】  ウレタンゴムを用いないでも大きな終圧を得ることができ、加工後に被加工部材から加工工具を確実に離反させることができるプレス金型用カムを提供すること。【解決手段】  カム面２を有していると共に横方向Ｈに移動自在なカムスライド３と、カム面２に相補的な形状のカム面４を有していると共にカム面４でカムスライド３のカム面２に当接してカムスライド３を横方向Ｈにおいて前方移動させるカムドライバ５と、カムスライド３を元の位置に復帰させるベく、カムスライド３の前方移動においてカムスライド３を元の位置に復帰させる徐々に増大する復帰力を発生する復帰力発生手段６と、カムスライド３が横方向Ｈに移動自在に設けられた基台７とを具備している。【選択図】図１
2010158724.tif 000002
【特許請求の範囲】
【請求項１】
カム面を有した移動自在なカムスライドと、このカムスライドのカム面に当接してカムスライドを移動させるカムドライバと、カムスライドを元の位置に復帰させるベく、カムスライドの移動においてカムスライドを元の位置に復帰させる徐々に増大する復帰力を発生する復帰力発生手段と、カムスライドが移動自在に設けられた基台とを具備しており、復帰力発生手段は、互いに並置されていると共に弾性的な復帰力を互いに独立的に発生する少なくとも一対のコイルばねを有しているプレス金型用カム。
【請求項２】
復帰力発生手段は、カムスライドを移動自在に貫通していると共にカムスライドの移動方向に関して移動が基台により制限される保持ロッドを更に有しており、一対のコイルばねは保持ロッドを囲繞して配されている請求項１に記載のプレス金型用カム。
【請求項３】
基台は、カムスライドの前面に対面する前壁と、カムスライドの後面に対面する後壁とを有しており、保持ロッドは、ばね受を具備していると共に前壁と後壁との間に配されており、一対のコイルばねのうちの一方のコイルばねは、その一端部がカムスライドの後方部にその他端部がカムスライドの前方部に夫々当接されると共にカムスライドの移動の途中からその他端部がばね受に押圧されるように配されており、一対のコイルばねのうちの他方のコイルばねは、カムスライドの移動においてその一端部がカムスライドに押圧されると共にその他端部の移動がばね受で阻止されるように配されている請求項２に記載のプレス金型用カム。
【請求項４】
ばね受は、カムスライドの移動において一方のコイルばねの他端部を押圧する環状の突部と、この突部に囲繞されていると共に他方のコイルばねの他端部を収容する凹所とを具備しており、他方のコイルばねは、凹所においてその他端部がばね受に当接されて当該他端部の移動が阻止されるように配されている請求項３に記載のプレス金型用カム。
【請求項５】
カムスライドは、一方のコイルばねを収容すると共に保持ロッドが貫通する凹所を有しており、一方のコイルばねは、カムスライドの凹所においてその一端部がカムスライドの後方部にその他端部がカムスライドの前方部に夫々当接されて凹所に配されており、他方のコイルばねは、カムスライドの凹所においてその一端部がカムスライドに当接されて押圧されるように配されている請求項３又は４に記載のプレス金型用カム。
【請求項６】
基台は、カムスライドの前面に対面する前壁と、カムスライドの後面に対面する後壁とを有しており、保持ロッドは、ばね受を具備していると共に前壁と後壁との間に配されており、一対のコイルばねのうちの一方のコイルばねは、カムスライドの移動の途中からその一端部がカムスライドに押圧されると共にその他端部の移動がばね受で阻止されるように配されており、一対のコイルばねのうちの他方のコイルばねは、カムスライドの移動においてその一端部がカムスライドに押圧されると共にその他端部の移動がばね受で阻止されるように配されている請求項２に記載のプレス金型用カム。
【請求項７】
一方のコイルばねは、保持ロッドにカムスライドの移動方向に関して移動自在に支持されている請求項６に記載のプレス金型用カム。
【請求項８】
一方のコイルばねは、カムスライドの移動において他方のコイルばねによるカムスライドの元の位置への復帰力の増大に対して遅れてカムスライドの元の位置への復帰力の増大が生じるように配されている請求項２から７のいずれか一項に記載のプレス金型用カム。
【請求項９】
基台は、カムスライドの前面に対面する前壁と、カムスライドの後面に対面する後壁とを有しており、保持ロッドは、ばね受を具備していると共に前壁と後壁との間に配されており、一対のコイルばねは、カムスライドの移動においてその各一端部がカムスライドに押圧されると共にその各他端部の移動がばね受で阻止されるように配されている請求項２に記載のプレス金型用カム。
【請求項１０】
一対のコイルばねのうちの一方のコイルばねは、その一端部がカムスライドに当接されその他端部がばね受に当接されて配されている請求項９に記載のプレス金型用カム。
【請求項１１】
基台は、カムスライドの前面に対面する前壁と、カムスライドの後面に対面する後壁とを有しており、保持ロッドは、カムスライドの移動方向に関して互いに離間して配された一対のばね受を具備していると共に前壁と後壁との間に配されており、一対のコイルばねのうちの一方のコイルばねは、カムスライドの移動においてその一端部がカムスライドに押圧されると共にその他端部の移動が一対のばね受のうちの一方のばね受で阻止されるように配されており、一対のコイルばねのうちの他方のコイルばねは、カムスライドの移動において、その一端部がカムスライドに押圧されると共にその他端部の移動が一対のばね受のうちの他方のばね受で阻止されるように配されている請求項２に記載のプレス金型用カム。
【請求項１２】
一対のコイルばねは同心に配されている請求項１から１１のいずれか一項に記載のプレス金型用カム。
【請求項１３】
基台は、カムスライドの前面に対面する前壁と、カムスライドの後面に対面する後壁と、カムスライドを移動自在に貫通して前壁及び後壁で支持されていると共にカムスライドの移動を案内する案内ロッドとを有しており、復帰力発生手段は、カムスライドを移動自在に貫通していると共にばね受を具備した保持ロッドを有しており、一対のコイルばねのうちの一方のコイルばねは、カムスライドの移動の途中からその一端部がカムスライドに押圧されると共にその他端部の移動が前壁で阻止されるように配されており、一対のコイルばねのうちの他方のコイルばねは、カムスライドの移動においてその一端部がカムスライドに押圧されると共にその他端部の移動がばね受で阻止されるように配されている請求項１に記載のプレス金型用カム。
【請求項１４】
一方のコイルばねは案内ロッドを囲繞して配されており、他方のコイルばねは保持ロッドを囲繞して配されている請求項１３に記載のプレス金型用カム。
【請求項１５】
一方のコイルばねは、カムスライドの移動において他方のコイルばねによるカムスライドの元の位置への復帰力の増大に対して遅れてカムスライドの元の位置への復帰力の増大が生じるように配されている請求項１３又は１４に記載のプレス金型用カム。
【請求項１６】
一対のコイルばねは互いにその弾性係数が異なっている請求項１から１５のいずれか一項に記載のプレス金型用カム。
【請求項１７】
一対のコイルばねのうちの一方のコイルばねは、他方のコイルばねの弾性係数よりも大きな弾性係数を有している請求項１から１６のいずれか一項に記載のプレス金型用カム。
【請求項１８】
他方のコイルばねは、その一端部がカムスライドにその他端部がばね受に当接されて配されている請求項１から１７のいずれか一項に記載のプレス金型用カム。
【請求項１９】
カムスライドは下置きカムタイプであり、基台には矩形凹所が形成されており、この矩形凹所にカムスライドが移動自在に配されている請求項１から１８のいずれか一項に記載のプレス金型用カム。
【請求項２０】
カムスライドは吊りカムタイプであり、基台には矩形凹所が形成されており、この矩形凹所にカムスライドが移動自在に配されている請求項１から１８のいずれか一項に記載のプレス金型用カム。
【発明の詳細な説明】
【技術分野】
【０００１】
本発明は、斜傾したカム面を有するカムスライドを利用してプレス機械の下向き等の一方の方向の加圧力を、これと交差する横向き等の他方の方向の加圧力に変えて、孔明け、剪断、曲げ等の加工を行うプレス金型用カムに関する。
【背景技術】
【０００２】
【特許文献１】特開２００２−１３７０２６号公報
【０００３】
プレス金型用カムは、通常、カム面を有した移動自在なカムスライドと、このカムスライドのカム面に当接してカムスライドを移動させるカムドライバと、カムスライドを元の位置に復帰させる復帰力発生手段（戻し手段）とを具備しており、復帰力発生手段としては、コイルばねを用いたもの、ゴム体を用いたもの、ガススプリングを用いたもの等があるが、いずれの復帰力発生手段でも、カムスライドを初期位置に完全に復帰させる初圧と、加工後に被加工部材から加工工具を離反させる終圧（これを通常ストリッピングパワーと言う）とをカムスライドに与えるようになっている。
【０００４】
プレス金型用カムにおいては、終圧が小さいとカムスライド、カムドライバ又は強制戻し機構若しくは加工工具等を損傷させる虞があるために大きな終圧が確実に得られる復帰力発生手段を用いるのが好ましいのであるが、例えばコイルばねを用いた復帰力発生手段では、一本のコイルばねで終圧を大きくすると、ばね径が大きくなったり、ばね定数の大きなコイルばねは縮み代が小さく一定ストロークでは長くなったり、カムの大型化に繋がることになる。
【０００５】
上記に代えて終圧を等価的に大きくするために、加工工具の近傍にゴムパッド構造を設けたり、加工工具にゴムストリッパを取付けたりしても、価格の上昇を招来すると共に下死点手前から大きな力を出すには長いゴムストリッパが必要となり、カムが大型化するという問題を有している。
【０００６】
そこで、本出願人は、特許文献１に記載のようなウレタンゴムを用いたプレス金型用カムを提案したが、これによれば初期の目的をほぼ達成し得るのであるが、大きな終圧とするためには大きな撓み量を得ることができる長尺のウレタンゴムを用いることになる。ところで、斯かる長尺のウレタンゴムであるとカムスライドと基台との間へのそれの設置が困難となるのみならず長期の使用で疲労して座屈、弾性特性の劣化等の虞もある。
【発明の概要】
【発明が解決しようとする課題】
【０００７】
本発明は、前記諸点に鑑みてなされたものであって、その目的とするところは、ウレタンゴムを用いないでも大きな終圧を得ることができ、加工後に被加工部材から加工工具を確実に離反させることができるプレス金型用カムを提供することにある。
【課題を解決するための手段】
【０００８】
本発明の第一の態様のプレス金型用カムは、カム面を有した移動自在なカムスライドと、このカムスライドのカム面に当接してカムスライドを移動させるカムドライバと、カムスライドを元の位置に復帰させるベく、カムスライドの移動においてカムスライドを元の位置に復帰させる徐々に増大する復帰力を発生する復帰力発生手段と、カムスライドが移動自在に設けられた基台とを具備しており、ここで、復帰力発生手段は、互いに並置されていると共に弾性的な復帰力を互いに独立的に発生する少なくとも一対のコイルばねを有している。
【０００９】
第一の態様のプレス金型用カムによれば、復帰力発生手段が少なくとも一対のコイルばねを有している上に、斯かる少なくとも一対のコイルばねが復帰力を互いに独立的に発生するようになっているために、一対のコイルばねの弾性力の合力でもって大きな終圧を得ることができ、しかも、少なくとも一対のコイルばねが互いに並置されているために広い設置場所を必要としない。
【００１０】
復帰力発生手段は、本発明の第二の態様のプレス金型用カムのように、カムスライドを移動自在に貫通していると共にカムスライドの移動方向に関して基台により移動が制限される保持ロッドを更に有していてもよく、この場合、一対のコイルばねは保持ロッドを囲繞して配されている。
【００１１】
第二の態様のプレス金型用カムによれば、一対のコイルばねが保持ロッドを囲繞して配されているために、保持ロッドにより一対のコイルばねの撓み、垂れ下がりが防止されて、一対のコイルばねの座屈が防止される。斯かる態様において、一対のコイルばねを同心に配置すると共に一対のコイルばねのうちの外側に位置するコイルばねをカムスライドに形成された凹所に配置することにより、一対のコイルばねのうちの外側に位置するコイルばねがカムスライドでガイドされる一方、一対のコイルばねのうちの内側に位置するコイルばねが保持ロッドでガイドされる結果、一対のコイルばねの撓み、垂れ下がりが更に防止されて、一対のコイルばねの座屈がより確実に防止される。保持ロッドを囲繞して一対のコイルばねを同心に配置する場合、一対のコイルばねの巻き方向を互いに反対にすることにより、当該一対のコイルばねの互いの噛み合いが防止されるばかりではなく、撓み、垂れ下がりが更により確実に防止されて、一対のコイルばねの座屈が更により確実に防止される。
【００１２】
本発明の第三の態様のプレス金型用カムでは、第二の態様のプレス金型用カムにおいて、基台は、カムスライドの前面に対面する前壁と、カムスライドの後面に対面する後壁とを有しており、保持ロッドは、ばね受を具備していると共に前壁と後壁との間に配されており、一対のコイルばねのうちの一方のコイルばねは、その一端部がカムスライドの後方部にその他端部がカムスライドの前方部に夫々当接されると共にカムスライドの移動の途中からその他端部がばね受に押圧されるように配されており、一対のコイルばねのうちの他方のコイルばねは、カムスライドの移動においてその一端部がカムスライドに押圧されると共にその他端部の移動がばね受で阻止されるように配されている。
【００１３】
第三の態様のプレス金型用カムによれば、他方のコイルばねがカムスライドの移動において徐々に増大する復帰力を発生する上に、一方のコイルばねがカムスライドの移動の途中から徐々に増大する復帰力を発生する結果、一方のコイルばねの弾性力による復帰力と他方のコイルばねの弾性力による復帰力とを合わせた大きな終圧を得ることができ、しかも、一方のコイルばねの弾性力による復帰力をカムスライドの移動の途中から発生させる結果、カムスライドの途中までの移動を他方のコイルばねによる徐々に増大する復帰力に抗して行わせるだけでよく、したがってカムスライドの移動を確実に行わせることができる。
【００１４】
本発明の第四の態様のプレス金型用カムでは、第三の態様のプレス金型用カムにおいて、ばね受は、カムスライドの移動において一方のコイルばねの他端部を押圧する環状の突部と、この突部に囲繞されていると共に他方のコイルばねの他端部を収容する凹所とを具備しており、他方のコイルばねは、凹所においてその他端部がばね受に当接されて当該他端部の移動が阻止されるように配されている。
【００１５】
第四の態様のプレス金型用カムによれば、環状の突部に囲繞された凹所において他方のコイルばねの他端部がばね受に当接しているために、他方のコイルばねの他端部を確実に保持できる。
【００１６】
本発明の第五の態様のプレス金型用カムでは、第三又は第四の態様のプレス金型用カムにおいて、カムスライドは、一方のコイルばねを収容すると共に保持ロッドが貫通する凹所を有しており、一方のコイルばねは、カムスライドの凹所においてその一端部がカムスライドの後方部にその他端部がカムスライドの前方部に夫々当接されて凹所に配されており、他方のコイルばねは、カムスライドの凹所においてその一端部がカムスライドに当接されて押圧されるように配されている。
【００１７】
第五の態様のプレス金型用カムによれば、一方のコイルばねが凹所に配されることになるために、凹所を規定するカムスライドの面で一方のコイルばねを確実に保持できる。
【００１８】
本発明の第六の態様のプレス金型用カムでは、第二の態様のプレス金型用カムにおいて、基台は、カムスライドの前面に対面する前壁と、カムスライドの後面に対面する後壁とを有しており、保持ロッドは、ばね受を具備していると共に前壁と後壁との間に配されており、一対のコイルばねのうちの一方のコイルばねは、カムスライドの移動の途中からその一端部がカムスライドに押圧されると共にその他端部の移動がばね受で阻止されるように配されており、一対のコイルばねのうちの他方のコイルばねは、カムスライドの移動においてその一端部がカムスライドに押圧されると共にその他端部の移動がばね受で阻止されるように配されている。
【００１９】
第六の態様のプレス金型用カムによれば、第三の態様のそれと同様に、他方のコイルばねがカムスライドの移動において徐々に増大する復帰力を発生する上に、一方のコイルばねがカムスライドの移動の途中から徐々に増大する復帰力を発生する結果、一方のコイルばねの弾性力による復帰力と他方のコイルばねの弾性力による復帰力とを合わせた大きな終圧を得ることができ、しかも、一方のコイルばねの弾性力による復帰力をカムスライドの移動の途中から発生させる結果、カムスライドの途中までの移動を他方のコイルばねによる徐々に増大する復帰力に抗して行わせるだけでよく、したがってカムスライドの移動を確実に行わせることができる。
【００２０】
第六の態様のプレス金型用カムにおいて一方のコイルばねは、好ましい例では本発明の第七の態様のプレス金型用カムのように、保持ロッドにカムスライドの移動方向に関して移動自在に支持されているが、本発明はこれに限定されず、例えば一方のコイルばねの一端部をカムスライドに予め固着しておいても、これに代えて、一方のコイルばねの他端部をばね受に予め固着しておいてもよい。
【００２１】
第二から第七のいずれの態様のプレス金型用カムでも、一方のコイルばねは、本発明の第八の態様のプレス金型用カムのように、カムスライドの移動において他方のコイルばねによるカムスライドの元の位置への復帰力の増大に対して遅れてカムスライドの元の位置への復帰力の増大が生じるように配されている。
【００２２】
本発明の第九の態様のプレス金型用カムでは、第二の態様のプレス金型用カムにおいて、基台は、カムスライドの前面に対面する前壁と、カムスライドの後面に対面する後壁とを有しており、保持ロッドは、ばね受を具備していると共に前壁と後壁との間に配されており、一対のコイルばねは、カムスライドの移動においてその各一端部がカムスライドに押圧されると共にその各他端部の移動がばね受で阻止されるように配されており、斯かるプレス金型用カムでは、本発明の第十の態様のプレス金型用カムのように、一対のコイルばねのうちの一方のコイルばねは、その一端部がカムスライドに当接されその他端部がばね受に当接されて配されているとよい。
【００２３】
本発明の第十一の態様のプレス金型用カムでは、第二の態様のプレス金型用カムにおいて、基台は、カムスライドの前面に対面する前壁と、カムスライドの後面に対面する後壁とを有しており、保持ロッドは、カムスライドの移動方向に関して互いに離間して配された一対のばね受を具備していると共に前壁と後壁との間に配されており、一対のコイルばねのうちの一方のコイルばねは、カムスライドの移動においてその一端部がカムスライドに押圧されると共にその他端部の移動が一対のばね受のうちの一方のばね受で阻止されるように配されており、一対のコイルばねのうちの他方のコイルばねは、カムスライドの移動において、その一端部がカムスライドに押圧されると共にその他端部の移動が一対のばね受のうちの他方のばね受で阻止されるように配されている。
【００２４】
上記のいずれの態様のプレス金型用カムでも、一対のコイルばねは、好ましくは本発明の第十二の態様のプレス金型用カムのように同心に配されている。
【００２５】
また本発明の第十三態様のプレス金型用カムでは、第一の態様のプレス金型用カムにおいて、基台は、カムスライドの前面に対面する前壁と、カムスライドの後面に対面する後壁と、カムスライドを移動自在に貫通して前壁及び後壁で支持されていると共にカムスライドの移動を案内する案内ロッドとを有しており、復帰力発生手段は、カムスライドを移動自在に貫通していると共にばね受を具備した保持ロッドを有しており、一対のコイルばねのうちの一方のコイルばねは、カムスライドの移動の途中からその一端部がカムスライドに押圧されると共にその他端部の移動が前壁で阻止されるように配されており、一対のコイルばねのうちの他方のコイルばねは、カムスライドの移動においてその一端部がカムスライドに押圧されると共にその他端部の移動がばね受で阻止されるように配されており、ここで、本発明の第十四の態様のプレス金型用カムのように、一方のコイルばねは案内ロッドを囲繞して配されており、他方のコイルばねは保持ロッドを囲繞して配されているとよく、斯かる第十三又は第十四の態様のプレス金型用カムにおいて、一方のコイルばねは、本発明の第十五の態様のプレス金型用カムのように、カムスライドの移動において他方のコイルばねによるカムスライドの元の位置への復帰力の増大に対して遅れてカムスライドの元の位置への復帰力の増大が生じるように配されている。
【００２６】
本発明では、一対のコイルばねは、その第十六の態様のプレス金型用カムのように、互いにその弾性係数が異なっていても、その第十七の態様のプレス金型用カムのように、一対のコイルばねのうちの一方のコイルばねは、他方のコイルばねの弾性係数よりも大きな弾性係数を有していてもよく、また他方のコイルばねは、その第十八の態様のプレス金型用カムのように、その一端部がカムスライドにその他端部がばね受に当接されて配されている。
【００２７】
本発明では、カムスライドは、その第十九の態様のプレス金型用カムのように、下置きカムタイプであっても、その第二十の態様のプレス金型用カムのように、吊りカムタイプであってもよく、いずれのタイプであっても、基台には矩形凹所が形成されており、この矩形凹所にカムスライドが移動自在に配されているとよい。
【００２８】
なお、本発明では更に大きな終圧を得るために、一対のコイルばねに加えて少なくとも一個のウレタンゴム又はコイルばねを更に用いてもよい。
【発明の効果】
【００２９】
本発明によれば、ウレタンゴムを用いないでも大きな終圧を得ることができ、加工後に被加工部材から加工工具を確実に離反させることができるプレス金型用カムを提供することができる。
【図面の簡単な説明】
【００３０】
【図１】図１は本発明の実施の形態の好ましい一例の側面説明図である。
【図２】図２は図１に示す例の正面説明図である。
【図３】図３は図１に示す例の背面説明図である。
【図４】図４は図１に示す例の一部説明図である。
【図５】図５は図１に示す例の動作説明図である。
【図６】図６は図１に示す例の動作説明図である。
【図７】図７は図１に示す例の動作説明図である。
【図８】図８は図１に示す例の動作説明図である。
【図９】図９は本発明の実施の形態の好ましい他の例の側面説明図である。
【図１０】図１０は図９に示す例の動作説明図である。
【図１１】図１１は本発明の実施の形態の好ましい更に他の例の側面説明図である。
【図１２】図１２は本発明の実施の形態の好ましい更に他の例の側面説明図である。
【図１３】図１３は本発明の実施の形態の好ましい更に他の例の側面説明図である。
【図１４】図１４は図１３に示す例の動作説明図である。
【発明を実施するための形態】
【００３１】
次に本発明及びその実施の形態を図に示す好ましい実施例に基づいて更に詳細に説明する。なお、本発明はこれら実施例に何等限定されないのである。
【実施例】
【００３２】
図１から図４において、本例のプレス金型用カム１は、カム面２を有していると共に横方向Ｈに移動自在なカムスライド３と、カム面２に相補的な形状のカム面４を有していると共にカム面４でカムスライド３のカム面２に当接してカムスライド３を横方向Ｈにおいて移動、すなわち前方移動させるカムドライバ５と、カムスライド３を元の位置に復帰させるベく、カムスライド３の前方移動においてカムスライド３を元の位置に復帰させる徐々に増大する復帰力を発生する復帰力発生手段６と、カムスライド３が横方向Ｈに移動自在に設けられた基台７とを具備している。
【００３３】
下置きカムタイプのカムスライド３は、カムスライド本体１１と、カムスライド本体１１の突出前面１２に一体的に設けられた工具取付部１３と、カムスライド本体１１の傾斜上面１４にねじ１５等を介して取り付けられていると共に傾斜したカム面２を有した滑り板（ウェアープレート）１６と、カムスライド本体１１の後退前面１７に外周縁部側で溶接、ねじ等により固着された環状ばね受板１８と、カムスライド本体１１の下面１９にねじ等を介して取り付けられた滑り板（ウェアープレート）２０と、カムスライド本体１１の両側面２１及び２２にねじ等を介して取り付けられた滑り板（ウェアープレート）２３及び２４とを具備している。
【００３４】
カムスライド本体１１は、一端では後退前面１７に開口し他端ではばね座面３０、即ち大径ばね座面３１及び小径ばね座面３２を具備したばね座面３０で閉塞されていると共に横方向Ｈに伸びた凹所３３をその下部３４に具備しており、カムスライド本体１１の後部の大径ばね座面３１は、カムスライド本体１１の環状の段部３５を介してカムスライド本体１１の後部の小径ばね座面３２と同心に配されている。
【００３５】
カムスライド本体１１の上部３６の突出前面１２に設けられた工具取付部１３には、パンチ工具３７が交換自在に取り付けられている。
【００３６】
滑り板１６、２０、２３及び２４においてその相手材と相対的に摺動するカム面２、摺動下面４１並びに摺動側面４２及び４３には固体潤滑剤が埋設された複数の穴（凹所）が必要に応じて設けられていてもよい。
【００３７】
環状ばね受板１８は、その内周縁部側が凹所３３の後退前面１７での開口を部分的に閉塞してその外周縁部側で後退前面１７に固着されている。
【００３８】
カムドライバ５は、基部４５と、基部４５に一体的に形成されていると共にカム面４を有しているカムドライバ本体４６とを具備しており、基部４５には、カムドライバ５を下降させる油圧ラム等の駆動機構が連結されており、カムドライバ本体４６の下部は、後述の案内ロッド１３１（図１３及び図１４参照）を用いたプレス金型用カム１にも本カムドライバ５を用いることができるように、案内ロッド１３１への当接を避ける二股部４７をもって形成されている。
【００３９】
復帰力発生手段６は、互いに並置されていると共に弾性的な復帰力を互いに独立的に発生する一対のコイルばね５１及び５２と、カムスライド３の下部３４を横方向Ｈに移動自在に貫通していると共にカムスライド３の移動方向である横方向Ｈに関して移動が基台７の前壁５３及び後壁５４により制限される保持ロッド５５とを有している。
【００４０】
一対のコイルばね５１及び５２は、保持ロッド５５を囲繞していると共に同心に配されており、互いにその弾性係数が異なっており、本例ではコイルばね５１はコイルばね５２の弾性係数よりも大きな弾性係数を有していると共にコイルばね５２の外側、換言すれば、コイルばね５２を囲繞して配されている。
【００４１】
凹所３３に収容されたコイルばね５１は、その一端部６１が凹所３３においてカムスライド３の後方部である大径ばね座面３１にその他端部６２がカムスライド３の前方部である環状ばね受板１８に夫々当接されて配されており、コイルばね５２は、その一端部６３が凹所３３においてカムスライド３の後方部である小径ばね座面３２にその他端部６４がばね受６５のばね座面６６に夫々当接されて押圧されるように配されている。
【００４２】
前壁５３と後壁５４との間に配された保持ロッド５５は、一端に膨大部７１を有していると共に凹所３３を貫通したロッド本体７２と、一端でロッド本体７２の他端に螺着されていると共に他端に膨大部７３を有した副ロッド７４と、ロッド本体７２と副ロッド７４とに挟着されたばね受６５とを具備している。
【００４３】
ばね受６５は、ロッド本体７２と副ロッド７４とに挟着された円盤状の基部７５と、基部７５に一体的に設けられていると共にカムスライド３の移動においてコイルばね５１の他端部６２を押圧する環状の突部７６と、突部７６に囲繞されていると共にコイルばね５２の他端部６４を収容する凹所７７とを具備しており、コイルばね５２の他端部６４は、凹所６７においてばね座面６６に当接されている。
【００４４】
基台７は、基部８１と、カムスライド３の前面である後退前面１７に対面する前壁５３と、カムスライド３のカムスライド本体１１の後面８２に対面する後壁５４と、滑り板２３及び２４の摺動側面４２及び４３の夫々に摺動自在に当接する摺動面８３及び８４を夫々有する一対の側壁８５及び８６と、滑り板２０の摺動下面４１に摺動自在に当接する摺動上面８７を有すると共に基部８１にねじ８８（図１３参照）を介して固着された滑り板（ウェアープレート）８９と、滑り板２３及び２４の摺動上面９１及び９２の夫々に摺動自在に当接する摺動下面９３及び９４を夫々有すると共に一対の側壁８５及び８６の夫々の上面にねじ９５を介して固着された案内板９６及び９７と、カムスライド本体１１の後面８２の後壁５４への激突を避けるべく後壁５４に固着された弾性板９９とを具備しており、こうして斯かる基台７には、前壁５３、後壁５４並びに一対の側壁８５及び８６で囲まれた矩形凹所１００が形成されており、矩形凹所１００にカムスライド３のカムスライド本体１１が横方向Ｈに関して移動自在に配されている。
【００４５】
前壁５３及び後壁５４並びにこれら前壁５３及び後壁５４に一体な一対の側壁８５及び８６の夫々は基部８１に一体的に設けられており、前壁５３は、膨大部７３が配される縦溝１０１を有しており、膨大部７３は、縦溝１０１の下端における前壁５３の段部１０２に載置されており、後壁５４は、前壁５３と同様に、膨大部７１が配される縦溝１０３を有しており、膨大部７１は、縦溝１０３の下端における後壁５４の段部１０４に載置されており、カムスライド３と復帰力発生手段６との組み合わせ体は、ねじ９５を緩めて案内板９６及び９７を一対の側壁８５及び８６の夫々の上面から取り外すことにより、基台７から除去できるようになっている。
【００４６】
滑り板２３及び２４の摺動上面９１及び９２にも、固体潤滑剤が埋設された複数の穴（凹所）が必要に応じて設けられていてもよい。
【００４７】
基台７には、上記に加えて、孔明けされるべき被加工板１１１が載置、支持されると共にボタンダイ１１２が埋め込まれた支持部１１３が一体に設けられており、被加工板１１１は、孔明けにおいて支持部１１３とカムドライバ５と同期して上下動される押え部材１１４とにより弾性的に挟持されるようになっている。
【００４８】
以上のプレス金型用カム１では、図１に示す元の位置（上昇位置）に配されたカムドライバ５は、被加工板１１１が支持部１１３に載置、支持されると下降され始め、この下降でカムドライバ５のカム面４がカムスライド３のカム面２に当接すると、カムスライド３は図１に示す元の位置から図５及び図６に示すように移動され始め、パンチ工具３７は被加工板１１１に接近される。このカムスライド３の移動において、一端部６１がカムスライド３の大径ばね座面３１に当接されていると共に他端部６２が環状ばね受板１８に当接されているコイルばね５１は、図５に示すように圧縮されることなしにカムスライド３の移動と共に移動される結果、カムスライド３を元の位置に復帰させる徐々に増大する弾性的な復帰力を発生しない一方、一端部６３がカムスライド３の小径ばね座面３２に押圧されると共に他端部６４の移動がばね受６５のばね座面６６で阻止されるように配されているコイルばね５２は、同じく図５に示すように横方向Ｈにおいて徐々に圧縮されてカムスライド３を元の位置に復帰させる徐々に増大する復帰力を発生する。
【００４９】
更に、カムドライバ５の下降によりカムスライド３が移動されると、図７に示すようにばね受６５の突部７６がコイルばね５１の他端部６２に当接して、これによりコイルばね５１の他端部６２が突部７６に押圧される結果、一端部６１がカムスライド３の大径ばね座面３１に当接されて当該一端部６１のカムスライド３に対する移動が阻止されているコイルばね５１は、徐々に圧縮されてカムスライド３を元の位置に復帰させる徐々に増大する復帰力を発生し始める。このようにカムスライド３の移動の途中から他端部６２がばね受６５の突部７６に押圧されるように配されているコイルばね５１は、カムスライド３の移動においてコイルばね５２によるカムスライド３の元の位置への復帰力の増大に対して遅れてカムスライド３の元の位置への復帰力の増大が生じるようになっており、而して、コイルばね５２と協働してカムスライド３を元の位置に復帰させる徐々に増大する復帰力を発生してこの復帰力をカムスライド３に与えるようになっている。コイルばね５１の圧縮と共にパンチ工具３７は、図８に示すように支持部１１３とカムドライバ５に同期して上下動される押え部材１１４とにより弾性的に挟持された被加工板１１１を貫通して被加工板１１１に孔明け（パンチング）を施してボタンダイ１１２の孔に挿入される。
【００５０】
パンチ工具３７により被加工板１１１に孔明けが施されると、カムドライバ５は上昇され始め、これによりカムスライド３もまた後退され始める。カムスライド３のこの後退において被加工板１１１の孔明け孔からのパンチ工具３７の抜け出しは、一対のコイルばね５１及び５２の弾性力の合力からなる終圧でもって行われ、以後、前記と逆にカムスライド３は移動されて図１に示す元の位置に復帰されると共にカムドライバ５及び押え部材１１４もまた図１及び図４に示ような元の位置（上昇位置）に配される。
【００５１】
プレス金型用カム１では、復帰力発生手段６が一対のコイルばね５１及び５２を有している上に、斯かる一対のコイルばね５１及び５２が復帰力を互いに独立的に発生するようになっているために、一対のコイルばね５１及び５２の弾性力の合力でもって大きな終圧を得ることができ、しかも、一対のコイルばね５１及び５２が互いに並置されているために広い設置場所を必要としなく、加えて、一対のコイルばね５１及び５２が保持ロッド５５を囲繞して配されており、同心に配された一対のコイルばね５１及び５２のうち外側に位置するコイルばね５１は凹所３３に配されてカムスライド３にガイドされ、内側に位置するコイルばね５２は保持ロッド５５でガイドされるために、一対のコイルばね５１及び５２の撓み、垂れ下がりが防止されて、一対のコイルばね５１及び５２の座屈が防止され、更に、コイルばね５２がカムスライド３の移動において徐々に増大する復帰力を発生する上に、コイルばね５１がカムスライド３の移動の途中から徐々に増大する復帰力を発生する結果、コイルばね５１の弾性力による復帰力とコイルばね５２の弾性力による復帰力とを合わせた大きな終圧を得ることができ、しかも、コイルばね５１の弾性力による復帰力をカムスライド３の移動の途中から発生させる結果、カムスライド３の途中までの移動をコイルばね５２による徐々に増大する復帰力に抗して行わせるだけでよく、したがってカムスライド３の移動を確実に行わせることができ、また、環状の突部７６に囲繞された凹所７７においてコイルばね５２の他端部６４がばね受６５に当接しているために、コイルばね５２の他端部６４を確実に保持でき、加えて、コイルばね５１が凹所３３に配されているために、凹所３３を規定するカムスライド３の面でコイルばね５１を確実に保持できる上に、コイルばね５１の設置によるスペース拡大を防ぎ得る。
【００５２】
前記のプレス金型用カム１では、凹所３３に侵入自在な環状の突部７６を有したばね受６５を保持ロッド５５に設けると共に一端部６１を大径ばね座面３１に他端部６２を環状ばね受板１８に夫々当接させてコイルばね５１を凹所３３に配したが、これに代えて、図９に示すように、円盤状のばね受１２１をばね受６５と同様にして保持ロッド５５に膨大部７３に隣接して設ける一方、コイルばね５１をコイルばね５２の内側に配置すると共に保持ロッド５５にカムスライド３の移動方向に関してばね受１２１と小径ばね座面３２との間で移動自在となるように支持して図１０に示すようにカムスライド３の移動の途中からその一端部６１でカムスライド３の小径ばね座面３２に押圧されると共にその他端部６２の移動がばね受１２１で阻止されるように配してもよく、この場合、コイルばね５２は、その一端部６３が凹所３３においてカムスライド３の大径ばね座面３１にその他端部６４がばね受１２１に夫々当接されて押圧されるように配されており、こうして、一端部６３がカムスライド３の小径ばね座面３２に押圧されると共に他端部６４の移動がばね受１２１で阻止されるように配されているコイルばね５２は、カムスライド３の初期移動と共に徐々に圧縮されてカムスライド３を元の位置に復帰させる徐々に増大する復帰力を発生するようになっている一方、コイルばね５１は、カムスライド３の移動においてコイルばね５２によるカムスライド３の元の位置への復帰力の増大に対して遅れてカムスライド３の元の位置への復帰力の増大が生じるように配されている。
【００５３】
図９に示すプレス金型用カム１でも復帰力発生手段６が一対のコイルばね５１及び５２を有している上に、斯かる一対のコイルばね５１及び５２が復帰力を互いに独立的に発生するようになっているために、一対のコイルばね５１及び５２の弾性力の合力でもって大きな終圧を得ることができ、しかも、一対のコイルばね５１及び５２が互いに並置されているために大きな設置場所を必要としなく、加えて、一対のコイルばね５１及び５２が保持ロッド５５を囲繞して配されており、同心に配された一対のコイルばね５１及び５２のうち外側に位置するコイルばね５２は凹所３３に配されてカムスライド３にガイドされ、内側に位置するコイルばね５１は保持ロッド５５でガイドされるために、一対のコイルばね５１及び５２の撓み、垂れ下がりが防止されて、一対のコイルばね５１及び５２の座屈が防止され、更に、コイルばね５２がカムスライド３の移動において徐々に増大する復帰力を発生する上に、コイルばね５１がカムスライド３の移動の途中から徐々に増大する復帰力を発生する結果、コイルばね５１の弾性力による復帰力とコイルばね５２の弾性力による復帰力とを合わせた大きな終圧を得ることができ、しかも、コイルばね５１の弾性力による復帰力をカムスライド３の移動の途中から発生させる結果、カムスライド３の途中までの移動をコイルばね５２による徐々に増大する復帰力に抗して行わせるだけでよく、したがってカムスライド３の移動を確実に行わせることができる。
【００５４】
上記の各プレス金型用カム１では、カムスライド３の移動においてコイルばね５２によるカムスライド３の元の位置への復帰力の増大に対して遅れてカムスライド３の元の位置への復帰力の増大が生じるようにコイルばね５１を配したが、これに代えて、図１１に示すようにカムスライド３の移動においてカムスライド３の元の位置への復帰力の増大を同時的に生じさせるようにコイルばね５１及び５２を配してもよい。即ち、図１１に示すプレス金型用カム１では、コイルばね５１及び５２の夫々は、その一端部６１及び６３の夫々でカムスライド３の小径ばね座面３２及び大径ばね座面３１の夫々に当接しその他端部６２及び６４の夫々でばね受１２１に当接して配されており、而して、斯かる一対のコイルばね５１及び５２は、カムスライド３の移動においてその一端部６１及び６３の夫々でカムスライド３に押圧されると共にその各他端部６２及び６４の移動がばね受１２１で阻止されるように配されている。
【００５５】
図１１に示すプレス金型用カム１によれば、復帰力発生手段６が一対のコイルばね５１及び５２を有している上に、斯かる一対のコイルばね５１及び５２が復帰力を互いに独立的に発生するようになっているために、一対のコイルばね５１及び５２の弾性力の合力でもって大きな終圧を得ることができ、しかも、一対のコイルばね５１及び５２が互いに並置されているために大きな設置場所を必要としなく、加えて、一対のコイルばね５１及び５２が保持ロッド５５を囲繞して配されており、同心に配された一対のコイルばね５１及び５２のうち外側に位置するコイルばね５２は凹所３３に配されてカムスライド３にガイドされ、内側に位置するコイルばね５１は保持ロッド５５でガイドされるために、一対のコイルばね５１及び５２の撓み、垂れ下がりが防止されて、一対のコイルばね５１及び５２の座屈が防止されることになる。
【００５６】
また、図１１に示すプレス金型用カム１では、一対のコイルばね５１及び５２に共通なばね受１２１を用いたが、これに代えて、図１２に示すように、カムスライド３の移動方向に関して互いに離間して配された一対のばね受１２１及び１２２を具備して保持ロッド５５を構成し、一端部６１がカムスライド３の小径ばね座面３２に当接され、他端部６２が小径のばね受１２２に当接され、而して、カムスライド３の移動において一端部６１がカムスライド３の小径ばね座面３２に押圧されると共に他端部６２の移動がばね受１２１よりも小径のばね受１２２で阻止されるようにコイルばね５１を保持ロッド５５を囲繞して配し、一端部６３がカムスライド３の大径のばね座面３１に当接され、他端部６４がばね受１２１に当接され、而してカムスライド３の移動において一端部６３がカムスライド３の大径のばね座面３１に押圧されると共に他端部６４の移動がばね受１２１で阻止されるようにコイルばね５２を保持ロッド５５を囲繞してしかもコイルばね５１の外側に互いに同心に配してもよい。
【００５７】
図１２に示すコイルばね５１及び５２は、図１１に示すそれと同様に、カムスライド３の移動においてカムスライド３の元の位置への復帰力の増大を同時的に生じさせる結果、斯かるコイルばね５１及び５２を具備したプレス金型用カム１は、図１１に示すプレス金型用カム１と同様の効果を得ることができる上に、コイルばね５１のばね長を短くできるために、カムスライド３の移動においてコイルばね５１による復帰力の増大を大きくできる。
【００５８】
ところで、前記のいずれのプレス金型用カム１でも、保持ロッド５５を囲繞して一対のコイルばね５１及び５２を設けたが、これに代えて、図１３に示すように、カムスライド３を移動方向に関して移動自在に貫通して前壁５３及び後壁５４で支持されていると共にカムスライド３の移動を案内する案内ロッド１３１を有して基台７を構成し、コイルばね５１を案内ロッド１３１を囲繞して配すると共に図１４に示すようにカムスライド３の移動の途中からその一端部６１でカムスライド３の後退前面１７に押圧されると共にその他端部６２の移動が前壁５３で阻止されるように前壁５３とカムスライド３の後退前面１７との間に配してプレス金型用カム１を構成してもよく、この場合、カムスライド３は、当該カムスライド３に固着された円筒状のブッシュ１３２を介して案内ロッド１３１に対して横方向Ｈに関して移動自在になっており、案内ロッド１３１の一端部１３３は、前壁５３の貫通孔１３４に嵌合されており、案内ロッド１３１の他端部１３５は、ねじ１３６により後壁５４の上面に固着されており、コイルばね５２は、前記と同様にカムスライド３の移動においてその一端部６３でカムスライド３のばね座面３０に押圧されるようなっていると共にその他端部６４の移動がばね受としての膨大部７３で阻止されるように、一端部６３がばね座面３０に当接し、他端部６４が膨大部７３に当接して配されている。
【００５９】
斯かる図１３に示すプレス金型用カム１では、カムドライバ５の下降によるカムスライド３の移動において、コイルばね５１は、コイルばね５２によるカムスライド３の元の位置への復帰力の増大に対して遅れてカムスライド３の元の位置への復帰力の増大が生じるようになっており、而して、上記と同様の効果を得ることができる。
【００６０】
図１３に示すプレス金型用カム１では、滑り板２３及び２４、一対の側壁８５及び８６並びに案内板９６及び９７を省いて基台７を構成してもよく、また、図１３に示すプレス金型用カム１のように、ばね受６５又は１２１を省いて斯かるばね受６５又は１２１の代わりに膨大部７３をばね受として用いてもよい。
【符号の説明】
【００６１】
１  プレス金型用カム
２、４  カム面
３  カムスライド
５  カムドライバ
６  復帰力発生手段
【図１】
2010158724.tif 000003
【図２】
2010158724.tif 000004
【図３】
2010158724.tif 000005
【図４】
2010158724.tif 000006
【図５】
2010158724.tif 000007
【図６】
2010158724.tif 000008
【図７】
2010158724.tif 000009
【図８】
2010158724.tif 000010
【図９】
2010158724.tif 000011
【図１０】
2010158724.tif 000012
【図１１】
2010158724.tif 000013
【図１２】
2010158724.tif 000014
【図１３】
2010158724.tif 000015
【図１４】
2010158724.tif 000016
【手続補正書】
【提出日】平成22年5月25日(2010.5.25)
【手続補正１】
【補正対象書類名】特許請求の範囲
【補正対象項目名】全文
【補正方法】変更
【補正の内容】
【特許請求の範囲】
【請求項１】
カム面を有した移動自在なカムスライドと、このカムスライドのカム面に当接してカムスライドを移動させるカムドライバと、カムスライドを元の位置に復帰させるベく、カムスライドの移動においてカムスライドを元の位置に復帰させる徐々に増大する復帰力を発生する復帰力発生手段と、カムスライドが移動自在に設けられた基台とを具備しており、復帰力発生手段は、互いに並置されていると共に弾性的な復帰力を互いに独立的に発生する少なくとも一対のコイルばねを有しているプレス金型用カム。